(57)【要約】      （修正有）【課題】取り付けが容易でありながら、外れにくい、部材の軸筒への取り付け構造を提供する。【解決手段】本発明は、軸筒の外壁に形成した複数の取付孔にそれぞれ挿入される複数の取付脚部１ａを有する部材の取付構造であって、前記取付脚部は、起立先端部１ｂに、取付脚部を挿入する際に前記取付孔の外縁に当接し、複数の取付孔の少なくとも２つの間を外側方向に押し広げる力を付与する傾斜壁１ｄと、取付孔を通過して抜け止めとなる顎部１ｅとを有する係合爪部を有すると共に、前記軸筒の前記２つの取付孔間に、屈曲した壁部分であるアーチ部を形成した軸筒に対する部材の取付構造を要旨とする。【選択図】図１
2018187800.tif 000002
【特許請求の範囲】
【請求項１】
軸筒の外壁に形成した複数の取付孔にそれぞれ挿入される複数の取付脚部を有する部材の取付構造であって、前記取付脚部は、起立先端部に、取付脚部を挿入する際に前記取付孔の外縁に当接し、複数の取付孔の少なくとも２つの間を外側方向に押し広げる力を付与する傾斜壁と、取付孔を通過して抜け止めとなる顎部とを有する嵌合爪部を有すると共に、前記軸筒の前記２つの取付孔間に、屈曲した壁部分であるアーチ部を形成した軸筒に対する部材の取付構造。
【発明の詳細な説明】
【技術分野】
【０００１】
本発明は、筆記具や塗布具などにおける、クリップなどの部材の軸筒への取付構造に関するものである。
【背景技術】
【０００２】
従来、クリップなどの部材の、筆記具や塗布具などの軸筒への取付構造として、例えば特開２００７−１２５６９５号公報（特許文献１）に記載の発明には、筆記具の軸筒の取付孔に、クリップの取付脚部を挿入し、取付脚部の起立先端部に設けた嵌合爪部を嵌合させるクリップの取付構造が開示されている。
【先行技術文献】
【特許文献】
【０００３】
【特許文献１】特開２００７−１２５６９５号公報
【発明の概要】
【発明が解決しようとする課題】
【０００４】
特許文献１に記載のクリップの取付構造では、取付脚部を取付孔に挿入する前後で、取付脚部に設けた起立先端部を適宜変形させるため、取付操作が煩雑になってしまうという問題があった。
本発明は、取り付けが容易でありながら、外れにくい、部材の軸筒への取付構造を提供することを目的とする。
【課題を解決するための手段】
【０００５】
本発明は、軸筒の外壁に形成した複数の取付孔にそれぞれ挿入される複数の取付脚部を有する部材の取付構造であって、前記取付脚部は、起立先端部に、取付脚部を挿入する際に前記取付孔の外縁に当接し、複数の取付孔の少なくとも２つの間を外側方向に押し広げる力を付与する傾斜壁と、取付孔を通過して抜け止めとなる顎部とを有する嵌合爪部を有すると共に、前記軸筒の前記２つの取付孔間に、屈曲した壁部分であるアーチ部を形成した軸筒に対する部材の取付構造を要旨とする。
【発明の効果】
【０００６】
本発明の取付構造は、軸筒の取付孔に部材の取付脚部を挿入する際に、取付脚部の起立先端部が有する嵌合爪部に設けた傾斜壁が取付孔の外縁に当接し、複数の取付孔の少なくとも２つの間を外側方向に押し広げる力を付与する。この力に対する応力が、２つの取付孔間に設けた、屈曲した壁部分であるアーチ部に集中し、該アーチ部が伸張するように弾性的に変形することができるため、部材を容易に軸筒へ取り付けることができる。
【図面の簡単な説明】
【０００７】
【図１】基部１の斜視図
【図２】基部１を軸筒２側から見た図
【図３】軸筒２の取付孔２ａ及びアーチ部２ｃ付近拡大斜視図
【図４】基部１を軸筒２に取り付けた図
【発明を実施するための形態】
【０００８】
本発明の部材の軸筒への取付構造は、部材の取付脚部を、軸筒の取付孔に挿入することでなされるものである。
軸筒に取り付ける部材は、クリップや、クリップと軸筒の間に配置する基部、軸筒の側壁にノック冠を配置したサイドノック式筆記具のノック冠などが適宜選択できる。
軸筒は、筆記具、塗布具、化粧用具などの外装部材や、外装部材に内装される部材などとすることができる。
【０００９】
軸筒に取り付ける部材は、複数の取付脚部を有している。取付脚部は軸筒の複数の取付孔にそれぞれ挿入される部分であり、取付孔の数に合わせて複数形成されている。
【００１０】
複数の取付脚部の起立先端部には、嵌合爪部が形成されている。嵌合爪部は、取付脚部の側壁側から突出している。
嵌合爪部は、傾斜壁と、顎部とを有している。
傾斜壁は、嵌合爪部のうち軸筒側に設けられている。取付脚部先端側から、嵌合爪部先端側へかけて傾斜しており、軸筒の取付孔に取付脚部を挿入する際に取付孔の外縁に当接する。取付脚部を挿入するにつれて、取付孔の外縁に当接する位置が、傾斜壁の取付脚部先端側から係合爪部先端側へと移るので、取付孔に対して、嵌合爪部が突出した方向に力を付与することができる。更に、複数の取付孔のうち少なくとも２つの間を外側方向に押し拡げるため、複数の取付脚部に設けられた嵌合爪部のうち少なくとも２つは、それぞれ異なる方向に突出している。
顎部は、嵌合爪部のうち部材側に設けられている。取付脚部を取付孔に挿入し、嵌合爪部が取付孔を通過すると、軸筒の内面と顎部とが当接することによって、部材を軸筒に取り付けた後、部材が軸筒から外れにくくなる抜け止めとなる。よって、顎部は、当接する軸筒の内面に沿った形状であることが好ましい。
【００１１】
部材の材質としては、ポリエチレン、ポリアミド、ポリプロピレン、ポリブチレンテレフタレート、ポリブチレンナフタレート、ポリエチレンナフタレート、塩化ビニル、エチレンビニルアルコール共重合体、ポリアクリロニトリル、フッ素樹脂、ポリアセタール、ポリエチレンテレフタレート、ポリカーボネート、ポリスチレン、ＡＢＳ、シリコーン樹脂、エラストマー、金属、またはこれらを含む複合材などが例示できる。特に軸筒よりも硬い材質であると、取付時に、後述する軸筒のアーチ部の変形を促すことができ、好ましい。
【００１２】
軸筒は、外壁に複数の取付孔と、屈曲した壁部分であるアーチ部とを有している。
アーチ部は、前記傾斜壁によって外側方向に押し広げる力が付与される少なくとも２つの取付孔の間に形成されている。アーチ部は屈曲した壁部分であるため、部材の取付時に発生する応力が集中し、弾性的に伸張するように変形する。よって、変形可能かつ発生した応力によって破断しない程度の肉厚を有していればよい。形状としては、少なくとも１箇所に屈曲した部分があればよく、屈曲した部分は、Ｒのついた曲面であっても、角度の異なる平面同士が結合することで生じる角であってもよい。
【００１３】
軸筒の材質としては、ポリエチレン、ポリアミド、ポリプロピレン、ポリブチレンテレフタレート、ポリブチレンナフタレート、ポリエチレンナフタレート、塩化ビニル、エチレンビニルアルコール共重合体、ポリアクリロニトリル、フッ素樹脂、ポリアセタール、ポリエチレンテレフタレート、ポリカーボネート、ポリスチレン、ＡＢＳ、シリコーン樹脂、エラストマー、金属、またはこれらを含む複合材などが例示できる。特に、ポリプロピレンは成形性が良いため好ましい。
【実施例】
【００１４】
以下、図面に基づき、本発明の一例について説明する。
図１に本発明の取付部材である基部１の斜視図を、図２に基部１を軸筒側から見た図をそれぞれ示す。軸筒に取り付ける部材である基部１は、後述する軸筒２とクリップ３との間に配置されている。本実施例においては、クリップ３の後端をコイルスプリング（図示せず）によって軸筒から離れる方向に付勢することで、クリップの先端を軸筒に近づく方向に付勢する、所謂バインダークリップを採用しており、基部１はコイルスプリングの台座として機能する。また、軸筒２又はクリップ３の形状が変更される場合などに、基部１のみをその変更した形状に合わせることによって、もう一方の部材の形状を変更することなく従来の構造が採用できるものである。
基部１には取付脚部１ａが２本形成されている。係合突起１ａの起立先端部１ｂには、傾斜壁１ｄと顎部１ｅとを有する嵌合爪部１ｃが形成されている。
本実施例においては、取付脚部１ａの前方に補助取付脚部を２本形成している。このような補助取付脚部を設けることによって、基部１の取付後に、取付脚部１ａの顎部１ｂと合わせて補助取付脚部の顎部が軸筒の内周面と当接し、基部１がより外れにくくなるものである。
取付脚部１ａには、補助取付部のある方と反対側の根元に、取付脚部１ａ側壁から基部１にかけて傾斜した傾斜部１ｆを設けている。傾斜部１ｆがあることによって、取付脚部１ａを後述する取付孔２ａに挿入する際に、取付孔２ａの縁と当接するので、より取付孔２ａ内に案内されやすくなるものである。
【００１５】
図３に軸筒２の後方拡大斜視図を示す。軸筒２には取付脚部１ａの数に合わせて取付孔２ａが２つ形成されている。本実施例においては前記補助取付脚部が２本あるため、それに合わせて補助取付孔も２つ形成されている。
取付脚部１ａを取付孔２ａに挿入し始めると、２つの取付脚部１ａのそれぞれ互いに異なる方向に突出した嵌合爪部１ｃの傾斜壁１ｄが、取付孔２ａの外縁２ｂに当接する。挿入を続けると、取付脚部１ａ先端側から、嵌合爪部１ｃ先端側へかけて傾斜した傾斜した傾斜壁１ｄに沿って、外縁２ｂと当接していき、取付孔２ａ間を外側方向へ押し広げる力を付与することができる。
取付孔２ａの間には、屈曲した壁部分であるアーチ部２ｃが形成されている。本実施例においては、アーチ部２ｃの屈曲した部分が、基部１側へ突出した凸部と該凸部の裏側の凹部とからなる角となっているので、取付脚部１ａを取付孔２ａに挿入する際の、傾斜壁１ｄによる取付孔２ａ間を外側方向へ押し広げる力に対して発生する応力が集中しやすいものとなっている。この応力によって、アーチ部２ｃは弾性的に伸張するように変形することができる。
【００１６】
図４に基部１を軸筒２に取り付けた図を示す。
取付脚部１ａを取付孔２ａに挿入し終え、嵌合爪部１ｃが取付孔２ａを通過すると、アーチ部２ｃの弾性的に伸張するような変形が解除される。そして、嵌合爪部１ｃの基部１側に設けられた顎部１ｅが、軸筒２の内面と当接するので、基部１が軸筒２から外れにくくなる。顎部１ｅは軸筒２の内面に合わせて平面となっている。
本実施例においては、アーチ部２ｃの天面が当接するよう取付脚部１ａの間に凹部を形成しているため、基部１を軸筒２に取り付けた後、ガタつきが防止できるものである。また、基部１の取付脚部１ａが形成される面と、軸筒２の取付孔２ａがある面との間に、隙間Ａを設けているため、取付脚部１ａの長さや嵌合爪部１ｃの形成位置に多少の誤差が生じた場合でも、問題なく取付脚部１ａを取付孔２ａに挿入しきることができるものである。
【符号の説明】
【００１７】
１      基部
１ａ    取付脚部
１ｂ    起立先端部
１ｃ    起立先端部
１ｄ    傾斜壁
１ｅ    顎部
１ｆ    傾斜部
２      軸筒
２ａ    取付孔
２ｂ    外縁
２ｃ    アーチ部
３      クリップ
Ａ      隙間
【図１】
2018187800.tif 000003
【図２】
2018187800.tif 000004
【図３】
2018187800.tif 000005
【図４】
2018187800.tif 000006